(57)【特許請求の範囲】
【請求項１】
パネル体の表面材及び芯材を貫通する採光溝と、
前記採光溝の開口端近傍に幅広となる段堀部と、が形成されるとともに、
前記段堀部に係止される係止部を有する透光部材が嵌め込まれており、
前記段堀部は、その深さが前記透光部材の表面から前記係止部の前記段堀部との係止面までの長さと略等しくなるように、かつ、その内側面が前記採光溝の開口端から深さ方向奥端まで一面状となるように、前記パネル体の表裏面の両方に形成されており、
前記透光部材の表面と前記パネル体の表面とが面一とされていることを特徴とする採光パネル。
【請求項２】
請求項１において
前記透光部材の側面には、前記透光部材の表面側から前記係止部に向けて傾斜した傾斜面が形成されていることを特徴とする採光パネル。
【請求項３】
請求項２において、
前記傾斜面の表面には、粗面化処理がなされていることを特徴とする採光パネル。
【発明の詳細な説明】
【技術分野】
【０００１】
本発明は、扉、内装パネル、間仕切りなどに用いられる採光パネルに関する。
【背景技術】
【０００２】
従来より、透光部材が組み込まれた採光パネルが扉、内装パネル、間仕切りなどに採用されている。
例えば下記特許文献１には、パネル体の厚み方向に貫通する開口部を設け、この開口部に透光部材を嵌め入れ、パネル体の表裏面から突出した透光部材の周縁角部を面取り形成したものが開示されている。
これによれば、透光部材を取り付けるための額縁状の取付部材なしに容易に透光部材をパネル体に組み込むことができるとされている。
【先行技術文献】
【特許文献】
【０００３】
【特許文献１】特開２００６−２５７７７３号公報
【発明の概要】
【発明が解決しようとする課題】
【０００４】
しかしながら、上記特許文献１に記載の採光パネルは、一部材の透光部材がパネル体を貫通しており、様々な厚みのパネル体に対応させるには困難である。
また上記特許文献１に記載の採光パネルは、透光部材をパネル体の表裏面側から突出させているので、パネル体の表面と透光部材の表面が面一となるスタイリッシュで見栄えのよい採光パネルを作製するには適していない。
【０００５】
本発明は、上記実情に鑑みなされたものであり、様々な厚みのパネル体に対応でき、見栄えのよい採光パネルを提供することを目的とする。
【課題を解決するための手段】
【０００６】
本発明に係る採光パネルは、パネル体の表面材及び芯材を貫通する採光溝と、前記採光溝の開口端近傍に幅広となる段堀部と、が形成されるとともに、前記段堀部に係止される係止部を有する透光部材が嵌め込まれており、前記段堀部は、その深さが前記透光部材の表面から前記係止部の前記段堀部との係止面までの長さと略等しくなるように、かつ、その内側面が前記採光溝の開口端から深さ方向奥端まで一面状となるように、前記パネル体の表裏面の両方に形成されており、前記透光部材の表面と前記パネル体の表面とが面一とされていることを特徴とする。
この構成によれば、様々な厚みのパネル体に対応でき、見栄えのよい採光パネルを得ることができる。またパネル体の表面と透光部材の表面とが面一な採光パネルを得ることができる。
【０００８】
また本発明において前記透光部材の側面には、前記透光部材の表面側から前記係止部に向けて傾斜した傾斜面が形成されているものとしてもよい。
この構成によれば、透光部材の表面から入る光を効果的に傾斜面に反射させることができ、段堀部の掘削断面が目立たない。
【０００９】
さらに本発明において前記傾斜面の表面には、粗面化処理がなされているものとしてもよい。
この構成によれば、透光部材の表面から入る光を乱反射させることができ、より一層段堀部の掘削断面が目立たなくなる。
【発明の効果】
【００１０】
本発明に係る採光パネルによれば、様々な厚みのパネル体に対応でき、見栄えのよい採光パネルを得ることができる。
【図面の簡単な説明】
【００１１】
【図１】（ａ）は本発明の一実施形態に係る採光パネルを扉に用いた例を示しており、その正面図である。（ｂ）は図１（ａ）のＸ−Ｘ線矢視拡大断面図である。
【図２】図１（ｂ）のＹ部拡大図である。
【図３】同採光パネルに嵌め入れられる透光部材の斜視図である。
【図４】（ａ）〜（ｃ）は同採光パネルの作製工程の一例を示す模式的断面図である。
【発明を実施するための形態】
【００１２】
以下に本発明における採光パネル１の実施形態の一例について、図１〜図４に基づいて説明する。
本実施形態に示す採光パネル１は、パネル体２の表面材２０及び芯材２１を貫通する採光溝３と、採光溝３の開口端近傍に幅広となる段堀部４とが形成されるとともに、段堀部４に係止される係止部５０を有する透光部材５が嵌め込まれて構成されている。段堀部４は、パネル体２の表裏面のそれぞれに形成されており、これら段堀部４のそれぞれに透光部材５が嵌め込まれている。
採光パネル１は、図１（ａ）に示すように長方形状の板体よりなり、ドアハンドル１０を有した内装扉として適用することができ、この場合、採光パネル１は居室内の出入口に設置され、透光部材５を介して居室内外の光を取り込むことができる。
【００１３】
パネル体２は、略角柱形状に加工された複数の芯材２１で枠組みされるとともに、これら芯材２１に表面材２０が貼着された、いわゆるフラッシュ構造の木質パネルである。
表面材２０としては合板、ＬＶＬ、パーティクルボード（ＰＢ）などの木質系材、芯材２１としては集成材、無垢材などを用いることができる。表面材２０の表面には、樹脂化粧シート（不図示）を貼り付けたものとしてもよい。
透光部材５としてはアクリル樹脂、ポリカーボネート樹脂などの透光性樹脂材や、透明または半透明のガラス材などを用いることができる。
【００１４】
採光溝３は、透光部材５の幅及び長さに対応するように、パネル体２の縦枠を構成する芯材２１を掘削加工することにより形成される。
なお、採光溝３は、複数の縦枠を採光溝３の幅に合わせて配置するとともに、これらの縦枠を跨ぐように複数の横枠を採光溝３の高さに合わせて配置することにより形成されていてもよい。
段堀部４の深さは、パネル体２の厚さの略半分より浅く、透光部材５の表面５ｂから係止部５０の段堀部４との係止面５０ａまでの長さとが略等しくなるように形成されている。
なお、図１（ｂ）、図４等には、パネル体２の縦枠を構成する芯材２１に段堀部４が形成された例を示すが、段堀部４は横枠を構成する芯材２１に形成されたものとしてもよく、この場合、段堀部４の位置に対応するよう透光部材５の係止部５０が設けられる。
図４（ｂ）には段堀部４の深さを４ａで示しており、図４（ｃ）には透光部材５の表面５ｂから係止部５０の係止面５０ａまでの長さを５ａで示している。よって４ａ＝５ａとなることが望ましく、この構成によれば、透光部材５の表面５ｂとパネル体２の表面２０ａとが面一となる採光パネル１とすることができる。
【００１５】
次に透光部材５について図２、図３を参照しながら、説明する。なお、図２では説明のため透光部材５のハッチングを付していないが断面図を示している。
透光部材５の両側面に形成される係止部５０は、段堀部４に係止されるものであればよく、ここでは段堀部４の内側面方向に突起状に形成された係止部５０を示している。
また透光部材５の係止部５０を備えた側面には、透光部材５の表面５ｂ側から入射した光を反射させる傾斜面５１が形成されているものが望ましい。この傾斜面５１は、透光部材５の表面５ｂ側から係止部５０に向けて次第に幅狭になるように傾斜して形成されている。
【００１６】
透光部材５は、上述した表面５ｂが、採光パネル１の内外への光を入射又は出射すべく、パネル体２の表面と面一になるように配置され、このとき、表面５ｂに正対する位置、すなわち採光パネル１の内方側に係止部５０が配置される。
また、透光部材５は、透光部材５の表面端部からの段堀部４の内側面に当接した状態で嵌め入れられる側面部５２を備えており、さらに好ましくは図に示すように、採光溝３の内側面に沿って当接した状態で嵌め入れられるよう形成された一対の突出部５３を備えたものとしてもよい。
この一対の突出部５３は採光溝３の溝幅に合わせて形成され、これを備えたものの場合は、透光部材５の段堀部４への嵌合力をより強固にすることができる。
透光部材５の側面部５２と、係止部５０と、突出部５３とが採光溝３と段堀部４の内側面に当接した状態で嵌め入れられることによって段堀部４に嵌合される。このとき、採光溝３と段堀部４の内側面と当接する面に接着剤を塗布して嵌め入れるようにしてもよい。
この場合は嵌合力が強まり、容易に透光部材５が段堀部４から外れてしまうことを防ぐことができる。
【００１７】
図２には透光部材５を透過する光の光路を１点鎖線６で示している。
透光部材５の係止部５０を備えた両側面を傾斜面５１とすることにより、表面５ｂ側から入射した光を全反射させる面を増やすことができる。これにより、段堀部４の掘削断面（内側面）を目立たなくすることができるが、粗面化処理（シボ加工など）がなされていることが望ましい。
この場合は、透光部材５の表面５ｂから入射した光が、粗面化処理された傾斜面５１に当たって乱反射し、表面材２０の断面や段堀部４の内側面に化粧シートなどを貼り付けなくても、より一層、掘削断面を目立たなくすることができる。
【００１８】
続いて図４を参照しながら、採光パネル１の作製方法の一例について説明する。
まず、芯材２１の表裏に表面材２０が貼着されたパネル体２を形成する（図４（ａ）参照）。芯材２１が配された位置に表面材２０及び芯材２１を貫通する採光溝３を形成する。
採光溝３の開口端近傍それぞれに採光溝３より幅広の段堀部４を形成する（図４（ｂ）参照）。
このとき、段堀部４の深さは、上述のように段堀部４に嵌め入れられる透光部材５の表面から係止部５０の係止面５０ａまで長さとが略等しくなるように形成する。
そして採光溝３の両開口端近傍のそれぞれに形成された段堀部４に透光部材５を嵌め入れる。このとき、上述のように接着剤を透光部材５に塗布した状態で透光部材５を段堀部４に嵌め入れるようにしてもよい。
透光部材５を段堀部４に嵌め入れる際には、透光部材５の突出部５３側から嵌め入れていく。そして段堀部４と採光溝３との境界の段差部に係止部５０の係止面５０ａが当接するまで挿入し、透光部材５を備えた採光パネル１を得る。
【００１９】
この構成によれば、透光部材５は段堀部４に嵌め入れられる大きさとすればよいので、パネル体２の厚みに応じて透光部材５の厚みを厚くする必要がなく、様々な厚みのパネル体２に対応することができる。
またこの構成によれば、パネル体２の表面２０ａと透光部材５の表面５ｂが面一となるスタイリッシュで見栄えのよい採光パネル１を得ることができる。
さらにこの構成によれば、採光溝３に形成された段堀部４に透光部材５に形成された係止部５０が係止され嵌合関係となるので、接着剤を用いる場合でも、多量の接着剤を要することがない。
【００２０】
以上、ここでは内装扉に適用された採光パネル１の例を説明したが、これに限定されるものではなく、例えば内装パネル、間仕切りなどにも適用可能である。
また採光パネル１、採光溝３、段堀部４及び透光部材５の形状などは図例に限定されるものではなく、例えば採光溝３が正方形の小さなものであってもよいし、横方向に長いもの、縦方向の全幅に形成されているものなどであってもよい。
【符号の説明】
【００２１】
１      採光パネル
２      パネル体
２０      表面材
２１      芯材
３      採光溝
４      段堀部
５      透光部材
５０      係止部
５１      傾斜面
【図１】
0005548432.tif 000002
【図２】
0005548432.tif 000003
【図３】
0005548432.tif 000004
【図４】
0005548432.tif 000005